【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
光重合性組成物であって、
ａ．３０重量％〜７０重量％（両端の値を含む）の少なくとも１つのウレタン成分と、
ｂ．２５重量％〜７０重量％（両端の値を含む）の、２５℃未満のＴｇを有する少なくとも１種の単官能性反応性希釈剤を含む、少なくとも１種の単官能性反応性希釈剤であって、ｉ）前記少なくとも１種の単官能性反応性希釈剤が、前記少なくとも１種の単官能性反応性希釈剤の総量の２０重量％〜８０重量％の量のフェノキシエチルメタクリレートを含み、又は、ｉｉ）前記少なくとも１種の単官能性反応性希釈剤が、プレポリマーの形態で存在し、あるいは、ｉ）前記少なくとも１種の単官能性反応性希釈剤が、前記少なくとも１種の単官能性反応性希釈剤の総量の２０重量％〜８０重量％の量のフェノキシエチルメタクリレートを含み、かつ、ｉｉ）前記少なくとも１種の単官能性反応性希釈剤が、プレポリマーの形態で存在し、前記少なくとも１種の単官能性反応性希釈剤が、２５℃以上のＴｇを有する少なくとも１種の単官能性反応性希釈剤を更に含む、少なくとも１種の単官能性反応性希釈剤と、
ｃ．任意に、存在する場合は、前記光重合性組成物の総重量を基準として１重量％〜３０重量％（両端の値を含む）の量の、少なくとも１種の多官能性反応性希釈剤と、
ｄ．０．１重量％〜５重量％（両端の値を含む）の少なくとも１種の開始剤と、
ｅ．存在する場合は、前記光重合性組成物の総重量を基準として０．００１重量％〜１重量％（両端の値を含む）の量の、任意の阻害剤と
のブレンドを含む、光重合性組成物。
【請求項２】
少なくとも１つのウレタンオリゴマーが、ウレタン（メタ）アクリレート、ウレタンアクリルアミド、又はこれらの組み合わせを含み、前記少なくとも１つのウレタン成分が、アルキル、ポリアルキレン、ポリアルキレンオキシド、アリール、ポリカーボネート、ポリエステル、ポリアミド、及びこれらの組み合わせから選択される連結基を含む、請求項１に記載の光重合性組成物。
【請求項３】
前記少なくとも１種の単官能性反応性希釈剤が、前記少なくとも１つのウレタン成分の量の少なくとも３０重量％の量で存在する相溶化剤を含む、請求項１又は２に記載の光重合性組成物。
【請求項４】
前記少なくとも１種の単官能性反応性希釈剤が、（メタ）アクリレート、アルキル（メタ）アクリレート、フェノキシ（メタ）アクリレート、ヒドロキシアルキル（メタ）アクリレート、又はこれらの組み合わせを含む、請求項１〜３のいずれか一項に記載の光重合性組成物。
【請求項５】
前記少なくとも１種の多官能性反応性希釈剤が、存在し、かつポリエステルメタクリレートを含む、請求項１〜４のいずれか一項に記載の光重合性組成物。
【請求項６】
前記少なくとも１種の単官能性反応性希釈剤が、１０未満の親水性−親油性バランス（ＨＬＢ）値を呈する単官能性反応性希釈剤を含む、請求項１〜５のいずれか一項に記載の光重合性組成物。
【請求項７】
前記少なくとも１種の開始剤が、光開始剤、熱開始剤、又はこれらの組み合わせを含む、請求項１〜６のいずれか一項に記載の光重合性組成物。
【請求項８】
前記少なくとも１つのウレタン成分が、光開始剤を含む少なくとも１つのペンダント基を含む、請求項１〜７のいずれか一項に記載の光重合性組成物。
【請求項９】
光重合性組成物の反応生成物を含む物品であって、前記光重合性組成物が、
ａ．３０重量％〜７０重量％（両端の値を含む）の少なくとも１つのウレタン成分と、
ｂ．２５重量％〜７０重量％（両端の値を含む）の、２５℃未満のＴｇを有する少なくとも１種の単官能性反応性希釈剤を含む、少なくとも１種の単官能性反応性希釈剤であって、ｉ）前記少なくとも１種の単官能性反応性希釈剤が、前記少なくとも１種の単官能性反応性希釈剤の総量の２０重量％〜８０重量％の量のフェノキシエチルメタクリレートを含み、又は、ｉｉ）前記少なくとも１種の単官能性反応性希釈剤が、プレポリマーの形態で存在し、あるいは、ｉ）前記少なくとも１種の単官能性反応性希釈剤が、前記少なくとも１種の単官能性反応性希釈剤の総量の２０重量％〜８０重量％の量のフェノキシエチルメタクリレートを含み、かつ、ｉｉ）前記少なくとも１種の単官能性反応性希釈剤が、プレポリマーの形態で存在し、前記少なくとも１種の単官能性反応性希釈剤が、２５℃以上のＴｇを有する少なくとも１種の単官能性反応性希釈剤を更に含む、少なくとも１種の単官能性反応性希釈剤と、
ｃ．任意に、存在する場合は、前記光重合性組成物の総重量を基準として１重量％〜３０重量％（両端の値を含む）の量の、少なくとも１種の二官能性反応性希釈剤と、
ｄ．０．１重量％〜５重量％（両端の値を含む）の少なくとも１種の開始剤と、
ｅ．存在する場合は、前記光重合性組成物の総重量を基準として０．００１重量％〜１重量％（両端の値を含む）の量の、任意の阻害剤と
のブレンドを含む、物品。
【請求項１０】
複数の層を含む、請求項９に記載の物品。
【請求項１１】
歯科矯正物品を含む、請求項９又は１０に記載の物品。
【請求項１２】
４０％以上の破断伸びを呈する、ＡＳＴＭ  Ｄ６３８−１０に従って測定される場合に、２０メガパスカル（ＭＰａ）以上の引張強度を呈する、ＡＳＴＭ  Ｄ６３８−１０に従って測定される場合に、５００ＭＰａ以上の弾性率を呈する、のうちの少なくとも１つを示す、請求項９〜１１のいずれか一項に記載の物品。
【請求項１３】
物品の製造方法であって、
ａ．光重合性組成物を供給することであって、前記光重合性組成物が、
ｉ．３０重量％〜７０重量％（両端の値を含む）の少なくとも１つのウレタン成分と、
ｉｉ．２５重量％〜７０重量％（両端の値を含む）の、２５℃未満のＴｇを有する少なくとも１種の単官能性反応性希釈剤を含む、少なくとも１種の単官能性反応性希釈剤であって、ｉ）前記少なくとも１種の単官能性反応性希釈剤が、前記少なくとも１種の単官能性反応性希釈剤の総量の２０重量％〜８０重量％の量のフェノキシエチルメタクリレートを含み、又は、ｉｉ）前記少なくとも１種の単官能性反応性希釈剤が、プレポリマーの形態で存在し、あるいは、ｉ）前記少なくとも１種の単官能性反応性希釈剤が、前記少なくとも１種の単官能性反応性希釈剤の総量の２０重量％〜８０重量％の量のフェノキシエチルメタクリレートを含み、かつ、ｉｉ）前記少なくとも１種の単官能性反応性希釈剤が、プレポリマーの形態で存在し、前記少なくとも１種の単官能性反応性希釈剤が、２５℃以上のＴｇを有する少なくとも１種の単官能性反応性希釈剤を更に含む、少なくとも１種の単官能性反応性希釈剤と、
ｉｉｉ．任意に、存在する場合は、前記光重合性組成物の総重量を基準として１重量％〜３０重量％（両端の値を含む）の量の、少なくとも１種の二官能性反応性希釈剤と、
ｉｖ．０．１重量％〜５重量％（両端の値を含む）の少なくとも１種の開始剤と、
ｖ．存在する場合は、前記光重合性組成物の総重量を基準として０．００１重量％〜１重量％（両端の値を含む）の量の、任意の阻害剤と
のブレンドを含む、供給することと、
ｂ．前記光重合性組成物を選択的に硬化させて物品を形成することと、
ｃ．任意に、ステップ（ｂ）の後に残存する未重合ウレタン成分及び／又は反応性希釈剤を硬化させることと、
（ｄ）ステップ（ａ）及び（ｂ）を繰り返して多層を形成し、ステップ（ｃ）の前に３次元構造を有する物品を作製することと、
を含む、方法。
【請求項１４】
物品の３次元モデルを表すデータを含み、３Ｄプリンタとインタフェースする１つ以上のプロセッサによってアクセスされたときに３Ｄプリンタに物品を作製させる、非一時的機械可読媒体であって、
前記物品が、光重合性組成物の反応生成物を含み、前記光重合性組成物が、
ａ．３０重量％〜７０重量％（両端の値を含む）の少なくとも１つのウレタン成分と、
ｂ．２５重量％〜７０重量％（両端の値を含む）の、２５℃未満のＴｇを有する少なくとも１種の単官能性反応性希釈剤を含む、少なくとも１種の単官能性反応性希釈剤であって、ｉ）前記少なくとも１種の単官能性反応性希釈剤が、前記少なくとも１種の単官能性反応性希釈剤の総量の２０重量％〜８０重量％の量のフェノキシエチルメタクリレートを含み、又は、ｉｉ）前記少なくとも１種の単官能性反応性希釈剤が、プレポリマーの形態で存在し、あるいは、ｉ）前記少なくとも１種の単官能性反応性希釈剤が、前記少なくとも１種の単官能性反応性希釈剤の総量の２０重量％〜８０重量％の量のフェノキシエチルメタクリレートを含み、かつ、ｉｉ）前記少なくとも１種の単官能性反応性希釈剤が、プレポリマーの形態で存在し、前記少なくとも１種の単官能性反応性希釈剤が、２５℃以上のＴｇを有する少なくとも１種の単官能性反応性希釈剤を更に含む、少なくとも１種の単官能性反応性希釈剤と、
ｃ．任意に、存在する場合は、前記光重合性組成物の総重量を基準として１重量％〜３０重量％（両端の値を含む）の量の、少なくとも１種の二官能性反応性希釈剤と、
ｄ．０．１重量％〜５重量％（両端の値を含む）の少なくとも１種の開始剤と、
ｅ．存在する場合は、前記光重合性組成物の総重量を基準として０．００１重量％〜１重量％（両端の値を含む）の量の、任意の阻害剤と
のブレンドを含む、非一時的機械可読媒体。
【請求項１５】
ａ．１つ以上のプロセッサを有する製造デバイスによって、物品の複数の層を規定するデータを含むデジタルオブジェクトを受信することと、
ｂ．積層造形プロセスによる前記製造デバイスを用いて、前記デジタルオブジェクトに基づく前記物品を生成することと
を含む方法であって、
前記物品が、光重合性組成物の反応生成物を含み、前記光重合性組成物が、
ｉ．３０重量％〜７０重量％（両端の値を含む）の少なくとも１つのウレタン成分と、
ｉｉ．２５重量％〜７０重量％（両端の値を含む）の、２５℃未満のＴｇを有する少なくとも１種の単官能性反応性希釈剤を含む、少なくとも１種の単官能性反応性希釈剤であって、ｉ）前記少なくとも１種の単官能性反応性希釈剤が、前記少なくとも１種の単官能性反応性希釈剤の総量の２０重量％〜８０重量％の量のフェノキシエチルメタクリレートを含み、又は、ｉｉ）前記少なくとも１種の単官能性反応性希釈剤が、プレポリマーの形態で存在し、あるいは、ｉ）前記少なくとも１種の単官能性反応性希釈剤が、前記少なくとも１種の単官能性反応性希釈剤の総量の２０重量％〜８０重量％の量のフェノキシエチルメタクリレートを含み、かつ、ｉｉ）前記少なくとも１種の単官能性反応性希釈剤が、プレポリマーの形態で存在し、前記少なくとも１種の単官能性反応性希釈剤が、２５℃以上のＴｇを有する少なくとも１種の単官能性反応性希釈剤を更に含む、少なくとも１種の単官能性反応性希釈剤と、
ｉｉｉ．任意に、存在する場合は、前記光重合性組成物の総重量を基準として１重量％〜３０重量％（両端の値を含む）の量の、少なくとも１種の二官能性反応性希釈剤と、
ｉｖ．０．１重量％〜５重量％（両端の値を含む）の少なくとも１種の開始剤と、
ｖ．存在する場合は、前記光重合性組成物の総重量を基準として０．００１重量％〜１重量％（両端の値を含む）の量の、任意の阻害剤と
のブレンドを含む、方法。